(57)【要約】【課題】建物内において隣り合う２つの部屋（空間）に選択的に風を送り込むことができる、吹出し機構および送風装置を提供する。【解決手段】本発明の吹出し機構（６）は、建物内において隣り合う２つの空間の境界に配置される。吹出し機構は、２つの空間を仕切る仕切面に沿って設けられ、送風流路（３２）と、その外周面が２つの空間に露出し、その端部から送風流路を流れる風が取り込まれる１つまたは複数の筒状部材（１３）とを備える。筒状部材の外周面には、端部から取り込まれた風を吹出すための１つまたは複数の吹出口（１４）が設けられており、筒状部材は、位置変更可能に取り付けられている。【選択図】図３
2020003150.tif 000002
【特許請求の範囲】
【請求項１】
建物内において隣り合う２つの空間の境界に配置される吹出し機構であって、
前記２つの空間を仕切る仕切面に沿って設けられ、ファンからの風が送り込まれる送風流路と、
その外周面が前記２つの空間に露出し、その端部から前記送風流路を流れる風が取り込まれる１つまたは複数の筒状部材とを備え、
前記筒状部材の外周面には、その母線方向に沿って、端部から取り込まれた風を吹出すための１つまたは複数の吹出口が設けられており、
前記筒状部材は、前記吹出口が前記２つの空間のうちの一方側を向く第１位置と、他方側を向く第２位置とに、位置変更可能に取り付けられている、吹出し機構。
【請求項２】
前記筒状部材は、前記送風流路に沿って複数並べられ、
前記複数の筒状部材は、互いに間隔をあけて配置されており、
隣り合う前記筒状部材の間には、誘引気流の経路が形成されている、請求項１に記載の吹出し機構。
【請求項３】
内部に前記送風流路が設けられた筐体をさらに備え、
前記筒状部材は、前記筐体に３６０度回転可能に取り付けられている、請求項１または２に記載の吹出し機構。
【請求項４】
前記筒状部材の回転軸線は、鉛直方向に延びている、請求項３に記載の吹出し機構。
【請求項５】
前記筒状部材を回転させるための回転駆動部をさらに備える、請求項３または４に記載の吹出し機構。
【請求項６】
前記送風流路は、鉛直方向に離れて配置され、前記筒状部材の両端にそれぞれ連通する２つの流路を含む、請求項１〜５のいずれかに記載の吹出し機構。
【請求項７】
請求項１〜６のいずれかに記載の吹出し機構を備えた送風装置であって、
前記２つの空間の一方から空気を吸込む吸込口と、
前記吸込口から吸込まれた空気を前記送風流路へと送り込むファンとを備える、送風装置。
【発明の詳細な説明】
【技術分野】
【０００１】
この発明は、吹出し機構および送風装置に関する。
【背景技術】
【０００２】
風向調節が可能な従来技術として、たとえば首振り機能を備えた扇風機や、エアコンの風向フラップが知られている。
【０００３】
また、特開２０１７−１７２３５８号公報（特許文献１）には、横向きの第１吹出口と上向きの第２吹出口とを備えた送風機能付き空気清浄機において、ルーバにより第２吹出口を開閉することで風の吹出す方向を調節することが開示されている。
【０００４】
つまり、ルーバによって第２吹出口を閉じることで、第１吹出口からの風を横方向に送風し、人が風を直接受けることによる涼感を得ることができる。そして、ルーバによって第２吹出口を開くことで、第２吹出口からの風を天井方向に送風することができる。
【先行技術文献】
【特許文献】
【０００５】
【特許文献１】特開２０１７−１７２３５８号公報
【発明の概要】
【発明が解決しようとする課題】
【０００６】
従来から知られている扇風機やエアコンの風向フラップ、および特許文献１の送風機能付き空気清浄機によれば、１つの室内において風向を変えることができるが、他室にまで風を送り込むことはできない。
【０００７】
本発明は、建物内において隣り合う２つの部屋（空間）に選択的に風を送り込むことができる、吹出し機構および送風装置を提供することを目的とする。
【課題を解決するための手段】
【０００８】
本発明の一態様に係る吹出し機構は、建物内において隣り合う２つの空間の境界に配置される。吹出し機構は、２つの空間を仕切る仕切面に沿って設けられ、ファンからの風が送り込まれる送風流路と、その外周面が２つの空間に露出し、その端部から送風流路を流れる風が取り込まれる１つまたは複数の筒状部材とを備える。筒状部材の外周面には、その母線方向に沿って、端部から取り込まれた風を吹出すための１つまたは複数の吹出口が設けられており、筒状部材は、吹出口が２つの空間のうちの一方側を向く第１位置と、他方側を向く第２位置とに、位置変更可能に取り付けられている。
【０００９】
好ましくは、筒状部材は、送風流路に沿って複数並べられ、複数の筒状部材は、互いに間隔をあけて配置されており、隣り合う筒状部材の間には、誘引気流の経路が形成されている。
【００１０】
好ましくは、吹出し機構は、内部に送風流路が設けられた筐体をさらに備え、筒状部材は、筐体に３６０度回転可能に取り付けられている。
【００１１】
好ましくは、筒状部材の回転軸線は、鉛直方向に延びている。
【００１２】
好ましくは、吹出し機構は、筒状部材を回転させるための回転駆動部をさらに備える。
【００１３】
好ましくは、送風流路は、鉛直方向に離れて配置され、筒状部材の両端にそれぞれ連通する２つの流路を含む。
【００１４】
本発明の他の態様に係る送風装置は、上記記載の吹出し機構を備えており、送風装置は、２つの空間の一方から空気を吸込む吸込口と、吸込口から吸込まれた空気を送風流路へと送り込むファンとを備える。
【発明の効果】
【００１５】
本発明の吹出し機構によれば、建物内において隣り合う２つの空間の双方に、選択的に風を送り込むことができる。
【図面の簡単な説明】
【００１６】
【図１】本発明の実施の形態に係る送風装置の設置状態を模式的に示す図である。
【図２】本発明の実施の形態に係る送風装置の設置状態を示す縦断面図であり、（ａ）は筒状部材の第１位置、（ｂ）は筒状部材の第２位置を示す。
【図３】本発明の実施の形態に係る送風装置であり、（ａ）は送風装置の斜視図、（ｂ）は内部構造を模式的に示す断面図である。
【図４】（ａ）〜（ｃ）は、本発明の実施の形態に係る筒状部材の構成例を示す斜視図である。
【図５】本発明の実施の形態に係る筒状部材の取り付け構造を示す断面図である。
【図６】（ａ）〜（ｃ）は、本発明の実施の形態に係る送風装置の使用例を概念的に示す図である。
【図７】本発明の実施の形態に係る送風装置の機能構成を示すブロック図である。
【図８】本発明の実施の形態に係る送風装置の他の設置位置を概念的に示す図である。
【発明を実施するための形態】
【００１７】
本発明の実施の形態について図面を参照しながら詳細に説明する。なお、図中同一または相当部分には同一符号を付してその説明は繰返さない。
【００１８】
＜概要について＞
はじめに、本発明の実施の形態に係る送風装置の概要について説明する。送風装置は、たとえば、建物内の２つの部屋の境界に配置される。部屋は、リビングや寝室などの居室であってもよいし、廊下等の非居室であってもよい。送風装置は、典型的には、和室間に配置される欄間や、間仕切壁に埋め込まれる。
【００１９】
図１は、本実施の形態に係る送風装置１の設置例を模式的に示す図である。図２は、本実施の形態に係る送風装置１の設置状態を示す縦断面図であり、（ａ）は筒状部材１３の第１位置、（ｂ）は筒状部材１３の第２位置における状態を示した図である。図３は、本実施の形態に係る送風装置であり、（ａ）は送風装置の斜視図、（ｂ）は内部構造を模式的に示す断面図である。
【００２０】
図１に示されるように、送風装置１は、たとえば、居室２と廊下２２との間の間仕切壁２４に埋め込まれている。間仕切壁２４は、２つの部屋２、２２を仕切る仕切面を構成する。なお、送風装置１が設けられる位置（高さ）については、特に限定されず、間仕切壁２４の上部または下部にあってもよく、中央部にあってもよい。図１の矢印Ａ１は間仕切壁２４の左右方向（横幅方向）、矢印Ａ２は間仕切壁２４の奥行き方向を示すものとする。
【００２１】
図２や図３に示されるように、送風装置１は、間仕切壁２４の左右方向に沿って設けられた送風流路３２と、送風流路３２に沿って並べられ、その外周面が２つの部屋２、２２に露出し、その端部から送風流路３２を流れる風が送り込まれる複数の筒状部材１３とを備える。
【００２２】
図３に示されるように、筒状部材１３の外周面には、母線に沿って吹出口１４が設けられている。筒状部材１３は、吹出口１４が２つの部屋２、２２のうちの居室２側を向く第１位置（図２（ａ））と、非居室２２側を向く第２位置（図２（ｂ））とに、位置変更可能に取り付けられている。送風装置１は、部屋２、２２の使用状況または空気環境（温度・湿度）、あるいは外気の風向等の状況に応じて、送風方向を居室２側にしたり、非居室２２側にすることができる。すなわち、１台の送風装置１で、２つの部屋２、２２に選択的に送風が可能となる。
【００２３】
＜構成について＞
送風装置１の構成例について、詳細に説明する。
【００２４】
図３（ｂ）を参照して、送風装置１は、筐体１１を備えており、その内部にファン１８、送風流路３２が設けられている。筐体１１は、間仕切壁２４の左右方向に長さを有し、その一端側にファン１８が収容されている。筐体１１の外郭は、略直方体となるように形成されている。そのため、間仕切壁２４への埋め込みが容易である。
【００２５】
送風流路３２は、ファン１８の送風口に一端が接続され、筐体１１の他端側に向かって長手方向に延びている。筐体１１は、間仕切壁２４の左右方向に延び、たとえば矩形状断面を有する管状部１１ａ、１１ｂを有しており、この管状部１１ａ、１１ｂにより、送風流路３２が構成されている。
【００２６】
本実施の形態では、送風流路３２は、図３（ｂ）に示されるように、鉛直方向（矢印Ａ３方向）に離れて配置された２つの流路３２ａ、３２ｂを有している。この場合、ファン１８からの風は、流路３２ａ、３２ｂに分岐し、筐体１１の他端まで導かれる。送風流路３２ａ、３２ｂは、他端側において合流していてもよい。
【００２７】
送風流路３２ａを構成する管状部１１ａの下面に、筒状部材１３の上端の開口と連通する貫通孔が設けられている。同様に、送風流路３２ｂを構成する管状部１１ｂの上面に、筒状部材１３の下端の開口と連通する貫通孔が設けられている。筐体１１の材質については空気を通さないものであれば特に問わず、たとえば木製であってもよく、樹脂製であってもよい。
【００２８】
図３を参照して、ファン１８は、その回転力によって、筐体１１に設けられた吸込口１２から空気を取り込み、取り込んだ空気を送風流路３２へと送る。ファン１８は、たとえばシロッコファンである。吸込口１２は、たとえば居室２側に設けられている。
【００２９】
ファン１８は、制御部４１により制御される。制御部４１は、操作部４２（図１）からの信号に応じてファン１８の回転を制御する。操作部４２は、たとえば居室２の壁面に設けられ、タッチパネルのような操作パネルであってもよい。
【００３０】
筒状部材１３の両端部から、筐体１１の送風流路３２を通って送られてきた風が取り込まれる。本実施の形態では、筒状部材１３が３個設けられた場合が図示されているが、限定的ではない。筒状部材１３の個数は複数であればよく、たとえば２個、もしくは４個以上であってもよい。なお、筒状部材１３の個数は複数であることが望ましいものの、１つでもよい。
【００３１】
図４（ａ）は、本実施の形態に係る筒状部材１３の構成例を示す斜視図である。図４（ａ）に示されるように、筒状部材１３は、内部が空洞の筒状であり、好ましくは円筒形である。軸線Ｏは鉛直に延びており、筒状部材１３の外周面（外装部）には、その母線Ｇ方向に沿って、スリット状の吹出口１４が１つだけ設けられている。これにより、筒状部材１３の外周面からは、一方向にのみ空気が吹出される。
【００３２】
筒状部材１３に設けられる吹出口１４の形状はスリット状でなくてもよい。たとえば図４（ｂ）の筒状部材１３ａのように、複数の吹出口１４ａが母線Ｇに沿って設けられていてもよい。つまり、母線Ｇに沿って設けられていれば、吹出口１４の個数および形状は問わない。また、吹出口１４は、たとえば母線Ｇに沿って斜めに配置されていてもよい。
【００３３】
本実施の形態では、筒状部材１３は、第１位置と第２位置とに選択的に送風するために、軸線Ｏを中心として回転可能に取り付けられている（図４（ａ）の矢印Ｂ１）。筒状部材１３は、軸線Ｏを中心に３６０度回転可能に取り付けられている。なお、少なくとも１８０度回転可能であればよい。３６０度回転可能な場合には、それぞれの部屋２、２２への吹出し角度を自由に決めることができる。
【００３４】
筒状部材１３の形状は、回転のしやすさを考慮すると、円筒形であることが望ましいが、図４（ｃ）のように、たとえば筒状部材１３ｂが六角形のような多角形であってもよい。
【００３５】
図３（ａ）を参照して、複数の筒状部材１３は、筐体１１の長手方向（間仕切壁２４の左右方向）において、お互いに間隔をあけて配置されており、隣り合う筒状部材１３の間には、誘引気流の経路１５が形成されていることが望ましい。誘引気流とは、吹出口１４から放出される空気により、その周囲の空気も巻き込まれるため風量が増加する現象のことである。
【００３６】
ここで、図３（ａ）および（ｂ）を特に参照して、送風装置１の駆動時における風の流れについて説明する。なお、吹出口１４は、図２（ａ）のように居室２側を向いていると仮定する。間仕切壁２４に設けられた送風装置１において、ファン１８の回転力によって、居室２側の空気が吸込口１２より吸込まれる（矢印３１）。この場合、取り込まれた空気はファン１８によって、送風流路３２ａ、３２ｂへと運ばれ（矢印３６ａ、矢印３６ｂ）、筒状部材１３の両端の開口から筒状部材１３の内部へと流入する。流入した空気は、居室２側へ向けられた吹出口１４を通って吹出される（矢印３３）。その際、非居室２２側の空気が経路１５を通って居室２側へと流れる誘引気流が生じるため、効果的に居室２に風を送り込むことができる。
【００３７】
図５は、本実施の形態に係る筒状部材１３の取り付け構造を模式的に示す断面図である。図５（ａ）に示されるように、送風流路３２と筒状部材１３の連結箇所からの空気漏れを防ぐため、筐体１１の管状部１１ａの下面および管状部１１ｂの上面に、筒状部材１３の端部をはめ込む環状溝部１９を形成し、溝部１９に環状の弾性部材１６が設けられていてもよい。弾性部材１６の材質は、たとえばペフなどの発泡体であり、柔軟性に富む部材からなる。
【００３８】
また図５（ｂ）に示されるように、弾性部材１６の円周方向において等間隔に複数の凹部１７を設け、筒状部材１３の端部に凹部１７に嵌合する凸部（図示せず）を設けることで、筒状部材１３の位置が安定的に固定されるような構造をとってもよい。
【００３９】
なお、筒状部材１３は、滑らかに回転できることが望ましく、筒状部材１３の縁において面取り加工が施されていてもよい。
【００４０】
＜使用例＞
本実施の形態に係る送風装置１の使用例について説明する。
【００４１】
図１に示される建物の両端の居室２ａ、２ｂは、各々、２箇所に窓２１を有している。そのため、２つの窓２１を開放すると風が抜け、居室２ａ、２ｂに気流が生じる。これに対し、中央の居室２は１箇所にしか窓２１を有さないため、通常であればドア２３を開けないと風が抜けない。しかし、本実施の形態では、間仕切壁２４に備えられた送風装置１を駆動させることで、居室２に気流を生じさせることができる。
【００４２】
図６（ａ）〜（ｃ）を参照して、本実施の形態の具体的な使用例について説明する。図６（ａ）は、居室２において、窓２１が開いている状態を示している。この場合、吹出口１４を非居室２２側を向く第２位置にすると、矢印３４ａ、３４ｂに示されるように、風が窓２１から非居室２２へと向かって居室２内を通り抜けるため、より気流感を増すことができる。あるいは、外気の風向によっては吹出口１４を居室２側を向く第１位置にして、非居室２２から窓２１へと向かって風が通り抜ける矢印３５ａ、３５ｂに示されるように外部へ出るようにしてもよい。
【００４３】
図６（ｂ）は、居室２においてエアコン等の空調機器を使用しており、窓２１が閉じられている状態を示している。この場合、送風装置１の吹出口１４を非居室２２側を向く第２位置にすることで、矢印３４ｂに示されるように、居室２の温度調節された空気を非居室２２へと送り込むことができる。このため、空調機器を設置していない非居室２２の温度環境を改善することができる。
【００４４】
図６（ｃ）は、居室２においてエアコン等の空調機器を使用しておらず、窓２１が閉じられている状態を示している。夏場においては、居室２よりも廊下などの非居室２２の方が温度が低くなる傾向が高い。この場合、吹出口１４を居室２側を向く第１位置にすることで、矢印３５ｂに示されるように、非居室２２の空気を居室２へと送り込むことができ、居室２の温度環境を改善することができる。
【００４５】
このように、状況に応じて１台の送風装置１の送風方向を変えることで、居室２または非居室２２の空気環境を改善することができる。
【００４６】
実施の形態に係る送風装置１が、２つの居室間に配置された場合は、特に２つの部屋それぞれに送風装置１を設置する必要がなくなるため、コスト低減につながる。
【００４７】
なお、送風装置１の筒状部材１３の吹出口１４の方向を手動で変更してもよいが、自動で変更できてもよい。この場合の送風装置１の機能構成を示したブロック図を図７に示す。
【００４８】
図７に示されるように、送風装置１は、制御部４１と、ファン１８と、筒状部材１３を回転するための回転駆動部４４とを備えている。制御部４１は、図３（ｂ）に示されるように、たとえば、筐体１１内に配置されている。制御部４１は、操作部４２からの信号に応じてファン１８および回転駆動部４４を制御する。回転駆動部４４は、たとえばモータである。
【００４９】
＜変形例＞
本実施の形態に係る送風装置１は、２つの部屋２、２２の間だけでなく、１つの室内における用途が異なる空間の境界に設置されてもよい。図８は、本実施の形態に係る送風装置１の他の設置位置を概念的に示す図である。
【００５０】
図８を参照して、部屋５は、キッチンＫとダイニングＤとリビングＬとを含み、各空間は間仕切壁２４で仕切られていない。この場合、送風装置１は、キッチンＫとダイニングＤとを仕切る仮想的な仕切面Ｓ１に設けられてもよく、キッチンＫとリビングＬとを仕切る仕切面Ｓ２に設けてもよい。
【００５１】
このような場合、送風装置１は、天井に吊り下げるようにして設置してもよい。たとえば、仕切面Ｓ１に設けられる場合は、対面式カウンターの上部に設けてもよい。あるいは、送風装置１は、１つの室内に置いて単に隣り合う２つの空間の境界に設置されていてもよい。
【００５２】
本実施の形態では、送風装置１が、２つの空間を仕切る仕切面の左右方向（矢印Ａ１方向）に沿うように配置されたが、上下方向（矢印Ａ３方向）に沿って配置されていてもよい。この場合、筒状部材１３は、軸線Ｏが左右方向に延在するよう、上下に並べて配置される。
【００５３】
本実施の形態では、ファン１８を有する送風装置１について説明したが、送風流路３２および筒状部材１３の構成を、たとえば、ダクト式空調システムの吹出し機構６に採用してもよい。図３（ｂ）には、吹出し機構６の範囲が模式的に示されている。
【００５４】
今回開示された実施の形態は全ての点で例示であって、制限的なものではないと考えられるべきである。本発明の範囲は上記した説明ではなくて特許請求の範囲によって示され、特許請求の範囲と均等の意味および範囲内での全ての変更が含まれることが意図される。
【符号の説明】
【００５５】
１  送風装置、２，２ａ，２ｂ  居室（部屋）、５  部屋、６  吹出し機構、１１  筐体、１１ａ，１１ｂ  管状部、１２  吸込口、１３，１３ａ，１３ｂ  筒状部材、１４，１４ａ，１４ｂ  吹出口、１５  経路、１６  弾性部材、１７  凹部、１８  ファン、１９  溝部、２１  窓、２２  非居室（廊下）、２３  ドア、２４  間仕切壁、３２，３２ａ，３２ｂ  送風流路、４１  制御部、４２  操作部、４４  回転駆動部。
【図１】
2020003150.tif 000003
【図２】
2020003150.tif 000004
【図３】
2020003150.tif 000005
【図４】
2020003150.tif 000006
【図５】
2020003150.tif 000007
【図６】
2020003150.tif 000008
【図７】
2020003150.tif 000009
【図８】
2020003150.tif 000010